(57)【要約】【課題】通信回路部分を共通化することで、機器構成の簡素化及び利用者のコスト負担の低減を図る。【解決手段】無線タグ情報通信装置１では、筐体２００内で無線タグラベルＴを作成する通信処理モードと、筐体２００外部の情報取得用無線タグ回路素子Ｔｏから情報読み取りを行う情報取得処理モードとが実行される。通信処理モードの実行時には、印字済みタグラベル用テープ１０９のラベル作成用無線タグ回路素子Ｔｏに対し、第１アンテナＬＣ１を介して情報の書き込みが行われ、更に当該印字済みタグラベル用テープ１０９が切断されることで、無線タグラベルＴが作成される。一方、情報取得処理モードの実行時には、情報取得用無線タグ回路素子Ｔｏに記憶された情報が第２アンテナＬＣ２を介して読み取られる。【選択図】図４
2008146386.tif 000002
【特許請求の範囲】
【請求項１】
装置本体の外郭を構成する筐体と、
この筐体内に設けられ、タグ媒体を搬送する搬送手段と、
情報を記憶するＩＣ回路部と情報の送受信を行うタグ側アンテナとをそれぞれ備えた、前記タグ媒体に備えられるラベル作成用無線タグ回路素子、及び、前記筐体外に位置する情報取得用無線タグ回路素子に対し、それぞれ情報送受信可能なラベル作成用アンテナ及び情報取得用アンテナと、
前記ラベル作成用アンテナ若しくは前記情報取得用アンテナを介し、前記ラベル作成用無線タグ回路素子若しくは前記情報取得用無線タグ回路素子に対し、選択的に問いかけ信号を送信するように切り替えるアンテナ切替制御手段と、
前記ラベル作成用アンテナ又は前記情報取得用アンテナを介した、前記ラベル作成用無線タグ回路素子又は前記情報取得用無線タグ回路素子からの前記問いかけ信号への応答信号の受信に応じて、前記ラベル作成用無線タグ回路素子との通信処理モード、若しくは、前記情報取得用無線タグ回路素子の情報取得処理を行うための情報取得処理モードに対応した処理を行うモード処理手段と
を有することを特徴とする無線タグ情報通信装置。
【請求項２】
請求項１記載の無線タグ情報通信装置において、
前記アンテナ切替制御手段は、
前記ラベル作成用アンテナを介した前記ラベル作成用無線タグ回路素子への
前記問いかけ信号の送信と、前記情報取得用アンテナを介した前記情報取得用無線タグ回路素子への前記問いかけ信号の送信とを交互に行うように、所定周期で前記切り替えを行う
ことを特徴とする無線タグ情報通信装置。
【請求項３】
請求項２記載の無線タグ情報通信装置において、
前記モード処理手段は、
前記問いかけ信号の送信に対応して、前記ラベル作成用アンテナを介し前記ラベル作成用無線タグ回路素子からの前記応答信号が受信された場合は、前記通信処理モードに対応した処理を実行し、
前記問いかけ信号の送信に対応して、前記情報取得用アンテナを介し前記情報取得用無線タグ回路素子からの前記応答信号が受信された場合は、前記情報取得処理モードに対応した処理を行う
ことを特徴とする無線タグ情報通信装置。
【請求項４】
請求項３記載の無線タグ情報通信装置において、
前記応答信号の信号強度を検出する信号強度検出手段を有し、
前記モード処理手段は、
前記問いかけ信号の送信に対応して、前記ラベル作成用アンテナを介し受信された前記ラベル作成用無線タグ回路素子からの前記応答信号の信号強度が所定のしきい値以上であった場合に、前記通信処理モードに対応した処理を行う
ことを特徴とする無線タグ情報通信装置。
【請求項５】
請求項４記載の無線タグ情報通信装置において、
前記アンテナ切替制御手段は、
前記ラベル作成用アンテナを介した前記ラベル作成用無線タグ回路素子からの前記応答信号の信号強度が所定のしきい値未満であった場合に、その後の前記交互に行う問いかけ信号の送信が前記情報取得用アンテナを介した前記情報取得用無線タグ回路素子への送信から再開されるように、前記切り替えを行う
ことを特徴とする無線タグ情報通信装置。
【請求項６】
請求項３乃至請求項５のいずれか１項記載の無線タグ情報通信装置において、
前記モード処理手段は、
前記問いかけ信号の送信に対応して、前記情報取得用アンテナを介し前記情報取得用無線タグ回路素子からの前記応答信号が受信された場合であっても、当該応答信号より取得した当該情報取得用無線タグ回路素子のタグ識別情報が既に前記情報取得処理モードにおいて取得されたものであった場合には、前記情報取得処理モードに対応した処理の実行を回避し、前記ラベル作成用アンテナ又は前記情報取得用アンテナを介した前記応答信号の受信待機状態へ復帰する
ことを特徴とする無線タグ情報通信装置。
【請求項７】
請求項３乃至請求項６のいずれか１項記載の無線タグ情報通信装置において、
前記モード処理手段は、
前記問いかけ信号の送信に対応して、前記情報取得処理モードにおいて、前記情報取得用無線タグ回路素子より取得した情報を、操作端末へ出力するための情報出力手段
を備えることを特徴とする無線タグ情報通信装置。
【請求項８】
請求項３乃至請求項７のいずれか１項記載の無線タグ情報通信装置において、
前記情報取得用アンテナを介し、前記情報取得用無線タグ回路素子からの前記応答信号が受信された場合、前記搬送手段による前記タグ媒体の搬送速度を低速化処理するための低速化処理手段を有することを特徴とする無線タグ情報通信装置。
【請求項９】
請求項８記載の無線タグ情報通信装置において、
前記モード処理手段は、
前記通信処理モードにおいて、前記低速化処理手段で低速化処理された前記搬送手段の搬送速度の高速化処理を行う高速化処理手段を備える
ことを特徴とする無線タグ情報通信装置。
【請求項１０】
請求項１乃至請求項９のいずれか１項記載の無線タグ情報通信装置において、
前記モード処理手段の前記通信処理モードにおいて、前記ラベル作成用無線タグ回路素子の前記ＩＣ回路部に対し書き込むための情報を、操作端末より入力するための情報入力手段
を備えることを特徴とする無線タグ情報通信装置。
【請求項１１】
請求項１乃至請求項１０のいずれか１項記載の無線タグ情報通信装置において、
前記ラベル作成用アンテナを介した前記ラベル作成用無線タグ回路素子との前記情報送受信内容に応じ、前記タグ媒体又はこれに貼り合わせる被印字媒体に対し印字を行う印字手段を有する
ことを特徴とする無線タグ情報通信装置。
【発明の詳細な説明】
【技術分野】
【０００１】
本発明は、外部と情報の無線通信を行う無線タグ回路素子と情報送受信を行う無線タグ情報通信装置に関する。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えている。質問器としてのリーダのアンテナより無線タグ回路素子に対し送信波の送信を行うと、無線タグ回路素子はその送信波の電波のもつエネルギを利用して返答の送信を行う。このようなリーダを用いて無線タグ回路素子から情報読み取りを行う従来技術として、例えば特許文献１記載のものがある。
【０００３】
この従来技術は、操作端末（ＰＣ）とリーダとを接続し、操作端末で所定の操作を行うことにより、リーダよりファイルや人間に所持された無線タグ回路素子の記憶情報を読み取って取得するものである。
【０００４】
一方、例えば、このような無線タグ回路素子に無線タグ情報を書き込んで無線タグラベルを作成する無線タグラベル作成装置が既に提唱されている（例えば、特許文献２参照）。この従来技術では、所定間隔で無線タグ回路素子が設けられた帯状のタグテープ（基材テープ）がタグテープロール（第１ロール）から繰り出されるとともに、別のロール（第２ロール）から繰り出された被印字テープが上記タグテープに貼り合わされる。このとき、上記タグテープの無線タグ回路素子には装置側で生成した所定の無線タグ情報が送信されてＩＣ回路部に書き込まれ、被印字テープにはその書き込まれる無線タグ情報に対応した印字が印字手段によって行われ、これによって印字つきの無線タグラベルが作成されるようになっている。
【０００５】
【特許文献１】特開２００５−２９８１００号公報
【特許文献２】特開２００５−１８６５６７号公報
【発明の開示】
【発明が解決しようとする課題】
【０００６】
一般に、上記特許文献２に記載のようなタグラベル作成装置で作成された無線タグラベルは、管理対象（物品等）に貼り付けられる等、関連付けられて設けられる。そして、上記特許文献１記載のようなリーダにより、上記商品等に設けられた無線タグラベルから無線タグ情報が読み取られて、商品に関する情報を入手して当該商品の管理等が行われる。このように、無線タグラベルを作成しこれを用いて実際に商品管理等を行うには、リーダとタグラベル作成装置の両方の機能が必要である。
【０００７】
ここで、上記従来技術におけるリーダは、無線タグ回路素子に対する送信信号の生成及び無線タグ回路素子からの返答信号の受信処理等を行う通信回路（高周波回路）と、上記送信信号の送信及び上記返答信号の受信を行うためのアンテナとを備えている。また、上記従来技術におけるタグラベル作成装置も、同様に、書き込むための情報を生成するための通信回路（高周波回路）と、アンテナとを備えている。したがって、少なくとも比較的高価な通信回路部分を共通化できれば、機器構成の簡素化及び利用者のコスト負担の低減を図ることができるはずであるが、そのような点に配慮した従来技術は存在しなかった。
【０００８】
本発明の目的は、通信回路部分を共通化することで、機器構成の簡素化及び利用者のコスト負担の低減を図ることができる無線タグ情報通信装置を提供することにある。
【課題を解決するための手段】
【０００９】
上記目的を達成するために、第１の発明は、装置本体の外郭を構成する筐体と、この筐体内に設けられ、タグ媒体を搬送する搬送手段と、情報を記憶するＩＣ回路部と情報の送受信を行うタグ側アンテナとをそれぞれ備えた、前記タグ媒体に備えられるラベル作成用無線タグ回路素子、及び、前記筐体外に位置する情報取得用無線タグ回路素子に対し、それぞれ情報送受信可能なラベル作成用アンテナ及び情報取得用アンテナと、前記ラベル作成用アンテナ若しくは前記情報取得用アンテナを介し、前記ラベル作成用無線タグ回路素子若しくは前記情報取得用無線タグ回路素子に対し、選択的に問いかけ信号を送信するように切り替えるアンテナ切替制御手段と、前記ラベル作成用アンテナ又は前記情報取得用アンテナを介した、前記ラベル作成用無線タグ回路素子又は前記情報取得用無線タグ回路素子からの前記問いかけ信号への応答信号の受信に応じて、前記ラベル作成用無線タグ回路素子との通信処理モード、若しくは、前記情報取得用無線タグ回路素子の情報取得処理を行うための情報取得処理モードに対応した処理を行うモード処理手段とを有することを特徴とする。
【００１０】
本願第１発明においては、筐体内で無線タグラベルを作成するときのラベル作成用無線タグ回路素子との通信処理モードと装置外部の無線タグ回路素子から情報読み取り（取得）を行う情報取得処理モードとを実行可能である。すなわち、通信処理モードでは、ラベル作成用無線タグ回路素子を備えたタグ媒体が搬送手段で搬送され、ラベル作成用アンテナを介しそのタグ媒体のラベル作成用無線タグ回路素子に対し情報送受信が行われる。そしてそのタグ媒体を用いて無線タグラベルが作成される。一方、情報取得処理モードでは、情報取得用アンテナを介し筐体の外部に位置する情報取得用無線タグ回路素子と情報送受信が行われることで所定の無線タグ情報が読み取られ、取得される。このようにして１つの無線タグ情報通信装置において２つのアンテナを使い分けつつ通信回路部分は共用してラベル作成と情報読み取り（取得）とを行うことができるので、ラベル作成装置と無線タグ情報読み取り装置との両方を別々にそろえる場合に比べ、機器構成の簡素化及び利用者のコスト負担の低減を図ることができる。
【００１１】
そしてこのとき、本願第１発明では、アンテナ切り替え制御手段でラベル作成用アンテナか情報取得用アンテナのいずれかに切り替えて問いかけ信号を選択的に送信するようにし、モード処理手段は、上記情報取得処理モードと通信処理モードとのいずれのモードとするかを、上記問いかけ信号に対する応答信号の受信に応じて決定する。これにより、操作者がラベル作成か情報読み取りかを選択操作したりすることなく自動的にモードが切り替えられて決定されるので、操作者の手間や労力を低減し迅速に処理を行うことができ、また操作者によるモード誤選択の可能性もなくなるので、利便性を向上することができる。
【００１２】
第２発明は、上記第１発明において、前記アンテナ切替制御手段は、前記ラベル作成用アンテナを介した前記ラベル作成用無線タグ回路素子への前記問いかけ信号の送信と、前記情報取得用アンテナを介した前記情報取得用無線タグ回路素子への前記問いかけ信号の送信とを交互に行うように、所定周期で前記切り替えを行うことを特徴とする。
【００１３】
アンテナ切り替え制御手段でラベル作成用アンテナと情報取得用アンテナとを所定周期で切り替え、問いかけ信号を交互に選択的に送信するようにすることで、モード処理手段が情報取得処理モードと通信処理モードとのいずれとするかを上記問いかけ信号に対する応答信号の受信に応じて決定することができる。
【００１４】
第３発明は、上記第２発明において、前記モード処理手段は、前記問いかけ信号の送信に対応して、前記ラベル作成用アンテナを介し前記ラベル作成用無線タグ回路素子からの前記応答信号が受信された場合は、前記通信処理モードに対応した処理を実行し、前記問いかけ信号の送信に対応して、前記情報取得用アンテナを介し、前記情報取得用無線タグ回路素子からの前記応答信号が受信された場合は、前記情報取得処理モードに対応した処理を行うことを特徴とする。
【００１５】
モード処理手段が応答信号の受信側に対応してモードを自動的に決定し、対応する処理を行うことにより、操作者がラベル作成か情報読み取りかを選択操作したりすることなく、迅速に処理を行うことができる。
【００１６】
第４発明は、上記第３発明において、前記応答信号の信号強度を検出する信号強度検出手段を有し、前記モード処理手段は、前記問いかけ信号の送信に対応して、前記ラベル作成用アンテナを介し受信された前記ラベル作成用無線タグ回路素子からの前記応答信号の信号強度が所定のしきい値以上であった場合に、前記通信処理モードに対応した処理を行うことを特徴とする。
【００１７】
これにより、ラベル作成用無線タグ回路素子がラベル作成用アンテナに十分近くなったことを確認してから通信を開始するようにできるので、情報送受信の確実性や信頼性を向上することができる。
【００１８】
第５発明は、上記第４発明において、前記アンテナ切替制御手段は、前記ラベル作成用アンテナを介した前記ラベル作成用無線タグ回路素子からの前記応答信号の信号強度が所定のしきい値未満であった場合に、その後の前記交互に行う問いかけ信号の送信が前記情報取得用アンテナを介した前記情報取得用無線タグ回路素子への送信から再開されるように、前記切り替えを行うことを特徴とする。
【００１９】
これにより、ラベル作成用アンテナにおけるラベル作成用無線タグ回路素子からの応答信号が十分大きくなく、受信信号の待機状態（交互にアンテナを切り替える状態）に戻るときに、ラベル作成用アンテナ側でなく情報取得用アンテナ側から再開することにより、情報取得用アンテナ側における受信信号判定の空白期間を少なくすることができる。
【００２０】
第６発明は、上記第３乃至第５発明のいずれかにおいて、前記モード処理手段は、前記問いかけ信号の送信に対応して、前記情報取得用アンテナを介し前記情報取得用無線タグ回路素子からの前記応答信号が受信された場合であっても、当該応答信号より取得した当該情報取得用無線タグ回路素子のタグ識別情報が既に前記情報取得処理モードにおいて取得されたものであった場合には、前記情報取得処理モードに対応した処理の実行を回避し、前記ラベル作成用アンテナ又は前記情報取得用アンテナを介した前記応答信号の受信待機状態へ復帰することを特徴とする。
【００２１】
情報取得用無線タグ回路素子からの応答信号のタグ識別情報が既に取得したものと同じであった場合、同一無線タグ回路素子より再度情報読み取りを行ったこととなるので、情報取得処理を回避することで、無駄な処理を省き、処理の迅速化を図ることができる。
【００２２】
第７発明は、上記第３乃至第６発明のいずれかにおいて、前記モード処理手段は、前記問いかけ信号の送信に対応して、前記情報取得処理モードにおいて、前記情報取得用無線タグ回路素子より取得した情報を、操作端末へ出力するための情報出力手段を備えることを特徴とする。
【００２３】
これにより、情報取得処理モードにおける情報取得用無線タグ回路素子からの情報読み取り結果を、操作端末側で表示することが可能となる。
【００２４】
第８発明は、上記第３乃至第７発明のいずれかにおいて、前記情報取得用アンテナを介し、前記情報取得用無線タグ回路素子からの前記応答信号が受信された場合、前記搬送手段による前記タグ媒体の搬送速度を低速化処理するための低速化処理手段を有することを特徴とする。
【００２５】
これにより、情報取得用アンテナと情報取得用無線タグ回路素子との情報送受が行われているときに、タグ媒体の搬送を減速又は停止することで、ラベル用無線タグ回路素子がラベル作成用アンテナの近傍の通信範囲へ進入するのを遅らせ、当該通信範囲から必要以上に早く通過してしまうのを防止することができるので、情報送受信の確実性や信頼性を向上することができる。
【００２６】
第９発明は、上記第８発明において、前記モード処理手段は、前記通信処理モードにおいて、前記低速化処理手段で低速化処理された前記搬送手段の搬送速度の高速化処理を行う高速化処理手段を備えることを特徴とする。
【００２７】
これにより、タグ媒体の減速の必要性がなくなった後に再び元の搬送速度に戻す等が可能となり、迅速な処理を行うことができる。
【００２８】
第１０発明は、上記第１乃至第９発明のいずれかにおいて、前記モード処理手段の前記通信処理モードにおいて、前記ラベル作成用無線タグ回路素子の前記ＩＣ回路部に対し書き込むための情報を、操作端末より入力するための情報入力手段を備えることを特徴とする。
【００２９】
これにより、ラベル作成用無線タグ回路素子へ書き込みたい情報を操作端末より操作・編集入力することが可能となり、利便性を向上することができる。
【００３０】
第１１発明は、上記第１乃至第１０発明のいずれかにおいて、前記ラベル作成用アンテナを介した前記ラベル作成用無線タグ回路素子との前記情報送受信内容に応じ、前記タグ媒体又はこれに貼り合わせる被印字媒体に対し印字を行う印字手段を有することを特徴とする。
【００３１】
これにより、ラベル作成用無線タグ回路素子に対し情報送受信を行い、かつタグ媒体（又は被印字媒体）に所定の印字を施した、印字つきの無線タグラベルを作成することができる。
【発明の効果】
【００３２】
本発明によれば、通信回路部分を共通化することで、機器構成の簡素化及び利用者のコスト負担の低減を図ることができる。
【発明を実施するための最良の形態】
【００３３】
以下、本発明の一実施形態による無線タグ情報通信装置を図面を参照しつつ説明する。本実施形態は、本発明を無線タグラベルの生成システムに適用した場合の実施形態である。
【００３４】
図１は、本実施形態の無線タグ情報通信装置を備えた無線タグ生成システムを表すシステム構成図である。
【００３５】
図１に示すこの無線タグ生成システムＴＳにおいて、無線タグ情報通信装置１は、有線あるいは無線による通信回線ＮＷを介してルートサーバＲＳ、複数の情報サーバＩＳ、端末１１８ａ及び汎用コンピュータ１１８ｂに接続されている。なお、端末１１８ａ及び汎用コンピュータ１１８ｂを総称して以下適宜、単に「ＰＣ１１８」と称する。
【００３６】
図２は、上記無線タグ情報通信装置１の全体構造を表す斜視図である。
【００３７】
図２において、無線タグ情報通信装置１は、上記ＰＣ１１８からの操作に基づき、装置内で印字付き無線タグラベルを作成したり、装置外部の無線タグ回路素子から情報読み取り（取得）を行うものである。無線タグ情報通信装置１は、外郭に略六面体（略立方体）形状の筐体２００を有する装置本体２と、この装置本体２の上面に開閉可能に設けられた開閉蓋３とを有している。
【００３８】
装置本体２の筐体２００は、装置前方側（図２中、左手前側）に位置し、装置本体２内で作成された無線タグラベルＴ（後述）を外部に排出するラベル排出口１１を備えた前壁１０と、この前壁１０のうちラベル排出口１１の下方に設けられ下端が回動可能に支持された前蓋１２とを備えている。
【００３９】
前蓋１２は押部１３を備えており、この押部１３を上方より押し込むことで前蓋１２が前方に開放されるようになっている。また、前壁１０のうち上記開閉ボタン４の下方には、無線タグ情報通信装置１の電源のオン・オフを行う電源ボタン１４が設けられている。この電源ボタン１４の下方には、装置本体２内に配設された切断機構１５（後述の図３参照）を使用者の手動操作で駆動するためのカッター駆動ボタン１６が設けられ、このボタン１６が押されることで印字済みタグラベル用テープ１０９（後述の図４参照）を所望の長さにカットして無線タグラベルＴを作成するようになっている。
【００４０】
開閉蓋３は、装置本体２の図２中右奥側の端部にて回動可能に軸支され、バネ等の付勢部材を介して常時開放方向に付勢されている。そして、装置本体２の上面に開閉蓋３に隣接するように配置された開閉ボタン４が押されることにより、開閉蓋３と装置本体２とのロックが解除され、上記付勢部材の作用により開放される。なお、開閉蓋３の中央側部には、透明カバーで覆われた透視窓５が設けられている。
【００４１】
図３は、無線タグ情報通信装置１の内部の内部ユニット２０の構造（但し後述するアンテナＬＣは省略）を表す斜視図である。図３において、内部ユニット２０は、概略的には、カートリッジ７を収納するカートリッジホルダ６と、印字ヘッド（サーマルヘッド）２３を備えた印字機構２１と、切断機構１５と、ハーフカッタ３４（後述の図６参照）と、無線タグラベルＴ（後述の図８参照）をラベル排出口１１（図２参照）より排出するラベル排出機構２２とを備えている。
【００４２】
図４は、図３に示した内部ユニット２０の構造を表す平面図である。また、図５は、上記カートリッジ７の詳細構造を模式的に表す拡大平面図である。
【００４３】
これら図４及び図５において、上記カートリッジホルダ６は、ラベル排出口１１から排出される印字済みタグラベル用テープ１０９の幅方向の向きが、垂直方向となるようにカートリッジ７を収納する。カートリッジ７は、筐体７Ａと、この筐体７Ａ内に配置され帯状の基材テープ１０１（タグ媒体）が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール１１１と、印字後のリボン１０５を巻取るリボン巻取りローラ１０６と、カートリッジ７のテープ排出部３０の近傍に回転可能に支持されたテープ送りローラ２７とを有する。
【００４４】
テープ送りローラ２７は、上記基材テープ１０１と上記カバーフィルム１０３とを押圧し接着させ上記印字済みタグラベル用テープ１０９としつつ、矢印Ａで示す方向にテープ送りを行う（＝圧着ローラとしても機能する）。
【００４５】
第１ロール１０２は、リール部材１０２ａの周りに、長手方向に複数の無線タグ回路素子Ｔｏが所定の等間隔で順次形成された上記基材テープ１０１を巻回している。基材テープ１０１はこの例では４層構造となっており（図５中部分拡大図参照）、内側に巻かれる側（図５中右側）よりその反対側（図５中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙（剥離材）１０１ｄの順序で積層され構成されている。
【００４６】
ベースフィルム１０１ｂの裏側（図５中左側）には、ループコイル形状に構成され情報の送受信を行うループアンテナ１５２（タグ側アンテナ）がこの例では一体的に設けられており、これに接続するように情報を記憶するＩＣ回路部１５１が形成され、これらによって無線タグ回路素子Ｔｏが構成されている。
【００４７】
ベースフィルム１０１ｂの表側（図５中右側）には、後にカバーフィルム１０３を接着するための上記粘着層１０１ａが形成され、またベースフィルム１０１ｂの裏側（図５中左側）には、無線タグ回路素子Ｔｏを内包するように設けた上記粘着層１０１ｃによって上記剥離紙１０１ｄがベースフィルム１０１ｂに接着されている。
【００４８】
なお、上記剥離紙１０１ｄは、最終的にラベル状に完成した無線タグラベルＴが所定の商品等に貼り付けられる際に、これを剥がすことで粘着層１０１ｃにより当該商品等に接着できるようにしたものである。また、この剥離紙１０１ｄの表面には、各無線タグ回路素子Ｔｏに対応した所定の位置（この例では、搬送方向前方側のアンテナ１５２の先端よりさらに前方側の位置）に、搬送制御用の所定の識別マーク（この例では黒塗りの識別マーク。あるいはレーザ加工等により基材テープ１０１を貫通する孔を穿孔する等でもよい。又はトムソン型での加工穴等でもよい）ＰＭが設けられている。
【００４９】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール１１１及び上記リボン巻取りローラ１０６で駆動されるリボン１０５が、上記印字ヘッド２３に押圧されることで当該カバーフィルム１０３の裏面に当接させられるようになっている。
【００５０】
リボン巻取りローラ１０６及びテープ送りローラ２７は、それぞれカートリッジ７外に設けた例えばパルスモータである搬送用モータ１１９（図３及び後述の図６参照）の駆動力が図示しないギヤ機構を介しリボン巻取りローラ駆動軸１０７及びテープ送りローラ駆動軸１０８（搬送手段）に伝達されることによって連動して回転駆動される。
【００５１】
一方、多数の発熱素子を備えた上記印字ヘッド２３が、カートリッジホルダ６に立設されたヘッド取付部２４に取り付けられて、テープ送りローラ２７よりカバーフィルム１０３の搬送方向上流側に配置されている。
【００５２】
また、カートリッジホルダ６のうちカートリッジ７の前方（図４中、下側）には、ローラホルダ２５が支持軸２９により回動可能に枢支され、切換機構により印字位置（当接位置、図４参照）とリリース位置（離反位置）とに切換可能とされている。このローラホルダ２５には、プラテンローラ２６及びテープ圧接ローラ２８が回転可能に配設されており、ローラホルダ２５が上記印字位置に切り換えられたときに、それらプラテンローラ２６及びテープ圧接ローラ２８が上記印字ヘッド２３及び上記テープ送りローラ２７に対し圧接されるようになっている。
【００５３】
上記構成において、上記第１ロール１０２より繰り出された基材テープ１０１は、テープ送りローラ２７へと供給される。一方、第２ロール１０４より繰り出されるカバーフィルム１０３は、その裏面側（すなわち上記基材テープ１０１と接着される側）に配置されリボン供給側ロール１１１とリボン巻取りローラ１０６とにより駆動されるインクリボン１０５が、上記印字ヘッド２３に押圧されて当該カバーフィルム１０３の裏面に当接させられる。
【００５４】
そして、カートリッジ７が上記カートリッジホルダ６に装着されロールホルダ２５が上記リリース位置から上記印字位置に移動されると、カバーフィルム１０３及びインクリボン１０５が印字ヘッド２３とプラテンローラ２６との間に狭持されるとともに、基材テープ１０１及びカバーフィルム１０３がテープ送りローラ２７と圧着ローラ２８との間に狭持される。そして、搬送用モータ１１９の駆動力によってリボン巻取りローラ１０６及びテープ送りローラ２７が矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。一方、第２ロール１０４からはカバーフィルム１０３が繰り出されるとともに、印刷駆動回路１２０（後述の図６参照）により印字ヘッド２３の複数の発熱素子が通電される。この結果、カバーフィルム１０３の裏面に、貼り合わせ対象となる基材テープ１０１上の無線タグ回路素子Ｔｏに対応した印字Ｒ（後述の図８参照）が印刷される。そして、上記基材テープ１０１と上記印刷が終了したカバーフィルム１０３とが上記テープ送りローラ２７及び圧着ローラ２８により接着されて一体化されて印字済みタグラベル用テープ１０９として形成され、テープ排出部３０よりカートリッジ７外へと搬出される。カバーフィルム１０３への印字が終了したインクリボン１０５は、リボン巻取りローラ駆動軸１０７の駆動によりリボン巻取りローラ１０６に巻取られる。
【００５５】
なお、カートリッジ７の上記筐体７Ａの上面には、例えば、カートリッジ７内に内蔵されている上記基材テープ１０１のテープ幅、テープの色等を表示するテープ特定表示部８が設けられている。カートリッジ７をカートリッジホルダ６に装着して開閉蓋３を閉じると、前述の透視窓５とテープ特定表示部８とが相互に対向し、透視窓５の透明カバーを介してテープ特定表示部８を装置本体２の外部から視認できる。これにより、カートリッジホルダ６に装着されているカートリッジ７の種類等を装置本体２の外部から透視窓５を介して容易に視認できるようになっている。
【００５６】
また、カートリッジホルダ６の対応する位置には、カートリッジ７の装着状態を検出するカートリッジセンサ８１が設けられており、このカートリッジセンサ８１の検出信号が制御回路１１０（後述の図６参照）へ入力されるようになっている。
【００５７】
内部ユニット２０は、筐体２００の内部側に通信可能領域を備え、印字済みタグラベル用テープ１０９に備えられたラベル作成用無線タグ回路素子Ｔｏに対し情報送受信可能なループアンテナである第１アンテナ（ラベル作成用アンテナ）ＬＣ１と、筐体２００の外部側に通信可能領域を備え、筐体２００外に位置する情報取得用無線タグ回路素子Ｔｏに対し情報送受信可能なループアンテナである第２アンテナ（情報取得用アンテナ）ＬＣ２とを備えている。そして、これら第１アンテナＬＣ１と第２アンテナＬＣ２との間には、これらアンテナＬＣ１，ＬＣ２から発生する磁束を遮断するための例えば金属製のシールド部材８５が設けられている。
【００５８】
そして、上述のように貼り合わされて生成された印字済みタグラベル用テープ１０９に対し第１アンテナＬＣ１によりラベル作成用無線タグ回路素子Ｔｏに情報読み取り又は書き込みが行われた後、自動的にあるいは上記カッター駆動ボタン１６（図２参照）を操作することにより切断機構１５によって印字済みタグラベル用テープ１０９が切断されて無線タグラベルＴが生成される。この無線タグラベルＴは、その後さらにラベル排出機構２２によってラベル排出口１１（図２参照）から排出されるようになっている。
【００５９】
上記切断機構１５は、固定刃４０と、金属部材で構成されこの固定刃４０とともにカット動作を行う可動刃４１と、この可動刃４１に連結されるカッターハスバギヤ４２（図３参照）と、このカッターハスバギヤ４２にギヤ列により連結されるカッターモータ４３（図３参照）とを備えている。
【００６０】
上記ラベル排出機構２２は、装置本体２の側壁１０に設けられたラベル排出口１１の近傍に配設され、切断機構１５において切断された後の印字済みタグラベル用テープ１０９（言い換えれば無線タグラベルＴ、以下同様）をラベル排出口１１から強制的に排出するための排出手段としての機能を有する。すなわち、ラベル排出機構２２は、駆動ローラ５１と、この駆動ローラ５１に対して印字済みタグラベル用テープ１０９を挟んで対向する押圧ローラ５２と、この押圧ローラ５２を印字済みタグラベル用テープ１０９に対して押圧し、またはその押圧を解除するように作動される押圧作動機構部５３（図３参照）と、この押圧作動機構部５３の押圧解除動作に連動して、駆動ローラ５１により印字済みタグラベル用テープ１０９を排出するように回転させるための排出駆動機構部５４（図３参照）とを備えている。また、ラベル排出機構２２は、印字済みタグラベル用テープ１０９の上記剥離紙１０１ｄに設けられた識別マークＰＭを検出するマークセンサ１２７（後述の図６等参照）を有している。
【００６１】
このとき、上記ラベル排出口１１の内側には、印字済みタグラベル用テープ１０９をラベル排出口１１へ案内するための第１案内壁５５，５６及び第２案内壁６３，６４が設けられている。第１案内壁５５，５６及び第２案内壁６３，６４はそれぞれ一体に形成され、上記固定刃４０と可動刃４１とでカットされた印字済みタグラベル用テープ１０９の排出位置において、互いに所定の間隔を隔てられるように配置されている。
【００６２】
押圧作動機構部５３は、前述の図３に示すように、ローラ支持ホルダ５７と、ローラ支持ホルダ５７に取り付けられ、先端部に押圧ローラ５２を保持するローラ支持部５８と、ローラ支持ホルダ５７を回動可能に支持するホルダ支持部５９と、切断機構１５に連動して押圧作動機構部５３を駆動するカム６０と、付勢バネ６１とから構成されている。
【００６３】
ローラ支持部５８は、この押圧ローラ５２をその上下方向から挟み込むようにして回転自在に支持されている。そして、ローラ支持ホルダ５７がカッターハスバギヤ４２の回転により、カム６０を通してホルダ支持軸５９を中心に反時計回り（図３中、矢印７１方向）に回動することで、押圧ローラ５２は印字済みタグラベル用テープ１０９に対して押圧される。また再びカッターハスバギヤ４２を回転させると、付勢バネ６１によりホルダ支持軸５９は先ほどと逆方向に回動し、押圧ローラ５２は印字済みタグラベル用テープ１０９から離間される。
【００６４】
排出駆動機構部５４は、テープ排出モータ６５とギヤ列６６とからなり、押圧ローラ５２によって印字済みタグラベル用テープ１０９が駆動ローラ５１に押圧された後に、テープ排出モータ６５を駆動させ、駆動ローラ５１を印字済みタグラベル用テープ１０９の排出方向へ回転させることによって、印字済みタグラベル用テープ１０９が強制的に排出方向に排出される。
【００６５】
図６は、本実施形態の無線タグ情報通信装置１の制御系を表す機能ブロック図である。図６において、この無線タグ情報通信装置１の制御基板（図示せず）上には、制御回路１１０が配置されている。
【００６６】
制御回路１１０には、内部にタイマ１１１Ａを備え各機器を制御するＣＰＵ１１１と、このＣＰＵ１１１にデータバス１１２を介して接続された入出力インタフェース１１３と、ＣＧＲＯＭ１１４と、ＲＯＭ１１５，１１６と、ＲＡＭ１１７と、不揮発性メモリ１１７１とが設けられている。
【００６７】
ＣＧＲＯＭ１１４には、多数のキャラクタの各々に関して、表示のためのドットパターンデータがコードデータに対応させて格納されている。
【００６８】
ＲＯＭ（ドットパターンデータメモリ）１１５には、アルファベット文字や記号等のキャラクタを印字するための多数のキャラクタ各々に関して、印字用ドットパターンデータが、書体（ゴシック系書体、明朝体書体等）毎に分類され、各書体毎に印字文字サイズ分、コードデータに対応させて格納されている。また、階調表現を含むグラフィック画像を印字するためのグラフィックパターンデータも記憶されている。
【００６９】
ＲＯＭ１１６には、上記ＰＣ１１８から入力された文字や数字等のキャラクタのコードデータに対応させて、印字バッファのデータを読み出して上記印字ヘッド２３、搬送用モータ１１９、テープ排出モータ６５を駆動する印字駆動制御プログラム、各印字ドットの形成エネルギ量に対応するパルス数を決定するパルス数決定プログラム、印字終了した場合に印字済みタグラベル用テープ１０９を切断位置まで搬送用モータ１１９を駆動して搬送し、上記カッターモータ４３を駆動して印字済みタグラベル用テープ１０９を切断する切断駆動制御プログラム、切断された印字済みタグラベル用テープ１０９（＝無線タグラベルＴ）をテープ排出モータ６５を駆動してラベル排出口１１から強制的に排出するテープ排出プログラム、その他無線タグ情報通信装置１の制御上必要な各種のプログラムが格納されている。ＣＰＵ１１１は、このようなＲＯＭ１１６に記憶されている各種プログラムに基づいて各種の演算を行う。
【００７０】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された文書データが格納される。印字バッファ１１７Ｂには、複数の文字や記号等の印字用ドットパターンや各ドットの形成エネルギ量である印加パルス数等がドットパターンデータとして格納され、印字ヘッド２３はこの印字バッファ１１７Ｂに記憶されているドットパターンデータに従ってドット印字を行う。パラメータ記憶エリア１１７Ｅには、各種演算データや、情報読み取り（取得）が行われた情報取得用無線タグ回路素子Ｔｏ（前述）のタグ識別情報（タグＩＤ）等が記憶される。また不揮発性メモリ１１７１には無線タグ回路素子Ｔ
ｏより読み取った取得情報が保存される。
【００７１】
入出力インタフェース１１３には、ＰＣ１１８と、印字ヘッド２３を駆動するための上記印刷駆動回路１２０と、搬送用モータ１１９を駆動するための搬送用モータ駆動回路１２１と、カッターモータ４３を駆動するためのカッターモータ駆動回路１２２と、ハーフカッターモータ１２９を駆動するためのハーフカッターモータ駆動回路１２８と、テープ排出モータ６５を駆動するためのテープ排出モータ駆動回路１２３と、上記アンテナＬＣ１またはＬＣ２を介して無線タグ回路素子Ｔｏにアクセスする（読取り／書込みを行う）ための搬送波を発生させるとともに、上記制御回路１１０から入力される制御信号に基づいて上記搬送波を変調する送信回路３０６と、無線タグ回路素子Ｔｏから上記アンテナＬＣ１，ＬＣ２を介して受信された応答信号の復調を行い、復調された受信信号と該応答信号の強度を検出して信号強度を上記制御回路１１０に出力する受信回路３０７と、識別マークＰＭを検出する上記マークセンサ１２７と、上記カートリッジ７の装着状態を検出する上記カートリッジセンサ８１と、テープカットセンサ１２４と、カットリリース検出センサ１２５とが接続されている。
【００７２】
また、上記送信回路３０６及び受信回路３０７は、アンテナ共用器２４０及び切替回路８６を介してアンテナＬＣ１，ＬＣ２に接続されている。このとき受信回路３０７には、第１アンテナＬＣ１又は第２アンテナＬＣ２より切替回路８６及びアンテナ共用器２４０を介して受信された受信信号の強度を検出するＲＳＳＩ（Ｒｅｃｅｉｖｅｄ  Ｓｉｇｎａｌ  Ｓｔｒｅｎｇｔｈ  Ｉｎｄｉｃａｔｏｒ）回路３０７Ａ（信号強度検出手段）が備えられており、その検出した信号強度を示す信号「ＲＳＳＩ」も制御回路１１０に入力されるようになっている。
【００７３】
切替回路８６は、制御回路１１０からの制御信号に基づき、上記アンテナ共用器２４０を第１アンテナＬＣ１又は第２アンテナＬＣ２に接続するように切り替える。具体的には、制御回路１１０は、切替回路８６を「ａ」側に切り換えてアンテナ共用器２４０と第１アンテナＬＣ１とを接続するモードと、切替回路８６を「ｂ」側に切り換えてアンテナ共用器２４０と第２アンテナＬＣ２とを接続するモードとを所定周期（具体的には、後で詳述するように、送信される呼びかけ信号と無線タグ回路素子が動作して応答を返した場合に受信される応答信号の時間の和の周期以上）で切り替えるように、制御する。
【００７４】
このような制御回路１１０を核とする制御系において、ＰＣ１１８を介して文字データ等が入力された場合、そのテキスト（文書データ）がテキストメモリ１１７Ａに順次記憶されるとともに、印字ヘッド２３が駆動回路１２０を介して駆動され、各発熱素子が１ライン分の印字ドットに対応して選択的に発熱駆動されて印字バッファ１１７Ｂに記憶されたドットパターンデータの印字を行い、これと同期して搬送用モータ１１９が駆動回路１２１を介してテープの搬送制御を行う。また、送信回路３０６が制御回路１１０からの制御信号に基づき搬送波の変調制御を行うとともに、受信回路３０７は制御回路１１０からの制御信号に基づき復調した信号の処理を行う。
【００７５】
また、テープカットセンサ１２４及びカットリリース検出センサ１２５は、例えばカッターハスバギヤ４２の円筒外壁上に設けられたカッターハスバギヤ用カム及びマイクロスイッチ（図示せず）から構成されている。具体的には、カッターモータ４３によりカッターハスバギヤ４２が回転すると、カッターハスバギヤ用カムの作用によりマイクロスイッチがオフ状態からオン状態に切り替わり、可動刃４１による印字済みタグラベル用テープ１０９の切断が完了したことを検出する。このことにより、テープカットセンサ１２４が構成される。また、更にカッターハスバギヤ４２が回転すると、カッターハスバギヤ用カムの作用によりマイクロスイッチがオン状態からオフ状態に切り替わり、可動刃４１がリリース位置に戻ったことを検出する。このことにより、カットリリース検出センサ１２５が構成される。
【００７６】
図７は、上記無線タグ回路素子Ｔｏの機能的構成を表す機能ブロック図である。この図７において、無線タグ回路素子Ｔｏは、無線タグ情報通信装置１側のアンテナＬＣ１，ＬＣ２と磁気誘導により非接触で信号の送受信を行う上記ループアンテナ１５２と、このループアンテナ１５２に接続された上記ＩＣ回路部１５１とを有している。
【００７７】
ＩＣ回路部１５１は、ループアンテナ１５２により受信された搬送波を整流する整流部１５３と、この整流部１５３により整流された搬送波のエネルギを蓄積し駆動電源とするための電源部１５４と、上記ループアンテナ１５２により受信された搬送波からクロック信号を抽出して制御部１５５に供給するクロック抽出部１５６と、所定の情報信号を記憶し得るメモリ部１５７と、上記ループアンテナ１５２に接続された変復調部１５８と、上記整流部１５３、クロック抽出部１５６、及び変復調部１５８等を介して上記無線タグ回路素子Ｔｏの作動を制御するための上記制御部１５５とを備えている。
【００７８】
変復調部１５８は、ループアンテナ１５２により受信された上記無線タグ情報通信装置１のアンテナＬＣ１，ＬＣ２からの通信信号の復調を行うと共に、上記制御部１５５からの返信信号に基づき、ループアンテナ１５２で受信した搬送波を変調し、ループアンテナ１５２より反射波として再送信する。
【００７９】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８０】
クロック抽出部１５６は受信した信号からクロック成分を抽出して制御部１５５にクロックを抽出するものであり、受信した信号のクロック成分の周波数に対応したクロックを制御部１５５に供給する。
【００８１】
図８は、上述のような構成である無線タグ情報通信装置１によりラベル作成用無線タグ回路素子Ｔｏの情報書き込み（又は読み取り）及び印字済みタグラベル用テープ１０９の切断が完了し形成された無線タグラベルＴの外観の一例を表す図であり、図８（ａ）は上面図、図８（ｂ）は下面図である。また図９（ａ）は、図８中ＩＸＡ−ＩＸＡ′断面による横断面図を反時計方向に９０°回転させた図であり、図９（ｂ）は、図８中ＩＸＢ−ＩＸＢ′断面による横断面図を反時計方向に９０°回転させた図である。
【００８２】
これら図８及び図９において、無線タグラベルＴは、前述したように図５に示した４層構造にカバーフィルム１０３が加わった５層構造となっており、カバーフィルム１０３側（図９中上側）よりその反対側（図９中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたループアンテナ１５２を含むラベル作成用無線タグ回路素子Ｔｏがベースフィルム１０１ｂ及び粘着層１０１ｃ内に備えられるとともに、カバーフィルム１０３の裏面にラベル作成用無線タグ回路素子Ｔｏの記憶情報等に対応したラベル印字Ｒ（この例では無線タグラベルＴの種類を示す「ＲＦ−ＩＤ」の文字）が印刷されている。
【００８３】
また、カバーフィルム１０３、粘着層１０１ａ、ベースフィルム１０１ｂ、粘着層１０１ｃには、既に述べたように上記ハーフカッタ３４によってテープ幅方向に略沿ってハーフカット線ＨＣ（半切断部位。但しこの例では前ハーフカット線ＨＣ１及び後ハーフカット線ＨＣ２の２本。）が形成されている。カバーフィルム１０３のうち、これらハーフカット線ＨＣ１，ＨＣ２の間に挟まれた領域がラベル印字Ｒが印刷される印字領域Ｓとなり、印字領域Ｓよりハーフカット線ＨＣ１，ＨＣ２を挟んでテープ長手方向両側がそれぞれ前余白領域Ｓ１及び後余白領域Ｓ２となっている。言い換えれば、ハーフカット線ＨＣ１，ＨＣ２により、カバーフィルム１０３の前後余白領域Ｓ１，Ｓ２と印字領域Ｓとが区別されている。
【００８４】
上記のような基本構成である無線タグ情報通信装置１においては、制御回路１１０により、ラベル作成用無線タグ回路素子Ｔｏを備えた印字済みタグラベル用テープ１０９を用いて無線タグラベルＴを作成するための通信処理モードに対応した処理、若しくは、筐体２００外の情報取得用無線タグ回路素子Ｔｏの情報読み取り（取得）処理を行うための情報取得処理モードに対応した処理を行うように制御される。
【００８５】
図１０（ａ）及び図１０（ｂ）は、このような制御を行うために制御回路１１０によって実行される制御手順をそれぞれ表すフローチャートである。
【００８６】
図１０（ａ）に示すフローは、例えば無線タグ情報通信装置１の電源を投入した際に開始されるメインフローである。まずステップＳ３０で、操作者からラベル作成の指示入力があったかどうか、すなわち例えば上記ＰＣ１１８等から通信回線ＮＷ及び入出力インターフェース１１３を介してラベル作成の操作信号が入力されたかどうかを判定する。指示入力がない場合（すなわち通常の場合）には、判定が満たされずループして指示入力を待ち、指示入力があると判定が満たされて次のステップＳ３００Ｂに移る。
【００８７】
ステップＳ３００Ｂでは、タグラベル作成処理を行い（詳細は後述の図１３参照）、ラベル作成用無線タグ回路素子Ｔｏを備えた印字済みタグラベル用テープ１０９を用いて無線タグラベルＴを作成する。作成が終了したら、ステップＳ３０に戻って同様の手順を繰り返す。
【００８８】
図１０（ｂ）に示すフローは、上記図１０（ａ）のメインフローに対し、所定の時間間隔（例えば数ｍｓｅｃ〜数十ｓｅｃ）ごとに、割り込み処理として実行されるフローである。
【００８９】
図１０（ｂ）において、まず、ステップＳ２９５において、情報取得用無線タグ回路素子Ｔｏからの情報読み取りが完了したかどうかを表す読み取り処理モードフラグＦｘを０に初期化設定し、次のステップＳ３００Ａに移る。
【００９０】
ステップＳ３００Ａでは、スキャン処理を行う。すなわち、第１アンテナＬＣ１と第２アンテナＬＣ２とを所定周期Ｔ（後述）で切り替えて、ラベル作成用無線タグ回路素子Ｔｏ及び情報取得用無線タグ回路素子Ｔｏに問いかけ信号を交互に送信し、情報取得用無線タグ回路素子Ｔｏから当該問いかけ信号に対する応答信号を受信すると、第２アンテナＬＣ２を介して情報取得用無線タグ回路素子Ｔｏの情報を読み取る（詳細は後述の図１１参照）。その後、ステップＳ３０に移る。
【００９１】
次のステップＳ３０では、上記読み取り処理モードフラグＦｘ＝１であるかどうかを判定する（後述の図１１のステップＳ３５６参照）。情報読み取りが完了しておらずＦｘ＝０であれば判定が満たされずこのフローを終了し、情報読み取りが完了しＦｘ＝１となっていた場合には判定が満たされ、ステップＳ３６０に移る。
【００９２】
ステップＳ３６０では、上記受信したリプライ信号により取得した情報取得用無線タグ回路素子Ｔｏのタグ識別情報（ユニークＩＤ（ＵＩＤ）等のタグＩＤ）が既に取得したものと異なるかどうかを不揮発性メモリ１１７１の内容と比較して判定する。タグＩＤが既に取得したものと同じである場合には、判定が満たされず、このフローを終了する。タグＩＤが既に取得したものと異なる場合には、判定が満たされて次のステップＳ３６５に移る。なお、上記ステップＳ３６０の処理については、必ずしも必要でない場合は省略してもかまわない。
【００９３】
ステップＳ３６５では、上記受信したリプライ信号に基づき読み取り対象である情報取得用無線タグ回路素子Ｔｏから取得した無線タグ情報を適宜処理する。当該処理としては、例えば、取得した無線タグ情報を入出力インターフェース１１３及び通信回線ＮＷを介して出力し（情報出力手段）、情報サーバＩＳやルートサーバＲＳに必要に応じてＰＣ１１８より参照可能に格納したり、ＰＣ１１８の表示手段で表示する等が挙げられる。
【００９４】
上記ステップＳ３６５が終了したら、ステップＳ３６６に移り、上記受信したリプライ信号により取得した情報（ユニークＩＤ（ＵＩＤ）等のタグＩＤを含む）を不揮発性メモリ１１７１に記憶し、このフローを終了する。
【００９５】
図１１は、上述したステップＳ３００Ａのスキャン処理の詳細手順を表すフローチャートである。
【００９６】
この図１１において、まずステップＳ３０５では、ラベル作成用無線タグ回路素子Ｔｏに情報を書き込むための通信処理モードフラグＦｗを０に初期化設定し、次のステップＳ３１０に移る。
【００９７】
ステップＳ３１０では、操作者からスキャン中止の指示入力があったかどうか、すなわち例えば上記ＰＣ１１８等から通信回線ＮＷ及び入出力インターフェース１１３を介してスキャン中止の操作信号が入力されたかどうかを判定する。指示入力があった場合には、本フローを終了する。指示入力がない場合には、判定が満たされずに次のステップＳ３２０に移る。
【００９８】
ステップＳ３２０では、切替回路８６に制御信号を出力し、切替回路８６を切り替えてアンテナ共用器２４０と第１アンテナＬＣ１とを接続させる。そして、次のステップＳ３２５において、送信回路３０６に制御信号を出力し、ラベル作成用無線タグ回路素子Ｔｏに情報を書き込むための問合せ信号（例えば「Ｓｃｒｏｌｌ  Ａｌｌ  ＩＤ」「Ｐｉｎｇ」信号等）として、所定の変調を行った搬送波を第１アンテナＬＣ１を介して対象となるラベル作成用無線タグ回路素子Ｔｏに送信し、返信を促す。
【００９９】
その後、ステップＳ３３０において、対象となるラベル作成用無線タグ回路素子Ｔｏから上記問合せ信号に対するリプライ信号（応答信号）が送信され、当該リプライ信号が第１アンテナＬＣ１、切替回路８６、アンテナ共用器２４０、および受信回路３０７を介し受信されたかどうかを判定する。リプライ信号が受信された場合には、判定が満たされて次のステップＳ３３５に移り、リプライ信号が受信されない場合には、判定が満たされてステップＳ３４５に移る。
【０１００】
ステップＳ３３５では、上記リプライ信号が受信されたときに受信回路３０７のＲＳＳＩ回路３０７Ａの出力値（検出した受信信号強度を表すＲＳＳＩ信号）に基づいて、第１アンテナＬＣ１を介し受信されたラベル作成用無線タグ回路素子Ｔｏからのリプライ信号の信号強度が所定のしきい値（＝例えば、通常の読み取り動作により読み取り可能なレベル等）以上であるかどうかを判定する。リプライ信号の信号強度がしきい値以上である場合には、ステップＳ３４０において通信処理モードフラグＦｗを１にセットし、ステップＳ３４５に移る。リプライ信号の信号強度がしきい値未満である場合には、通信処理モードフラグＦｗを変更せずにステップＳ３４５に移る。
【０１０１】
ステップ３４５では、切替回路８６に制御信号を出力し、切替回路８６を切り替えてアンテナ共用器２４０と第２アンテナＬＣ２とを接続させる。そして、次のステップＳ３５０において、送信回路３０６に制御信号を出力し、情報取得用無線タグ回路素子Ｔｏに記憶された情報を取得するための問合せ信号（例えば「Ｓｃｒｏｌｌ  Ａｌｌ  ＩＤ」「Ｐｉｎｇ」信号等）として、所定の変調を行った搬送波を第２アンテナＬＣ２を介して対象となる情報取得用無線タグ回路素子Ｔｏに送信し、返信を促す。
【０１０２】
その後、ステップＳ３５５において、対象となる情報取得用無線タグ回路素子Ｔｏから上記問合せ信号に対するリプライ信号が送信され、当該リプライ信号が第２アンテナＬＣ２、切替回路８６、アンテナ共用器２４０、および受信回路３０７を介し受信されたかどうかを判定する。リプライ信号が受信されていない場合、上記ステップＳ３１０に戻り、同様の手順を繰り返す。これにより、第１アンテナＬＣ１及び第２アンテナＬＣ２のいずれにおいてもリプライ信号が受信されていない間、すなわち、ステップＳ３２０→ステップＳ３２５→ステップＳ３３０で判定が満たされずステップＳ３４５→ステップＳ３５０→ステップＳ３５５で判定が満たされずステップＳ３１０以降を繰り返す場合は、第１アンテナＬＣ１を介したラベル作成用無線タグ回路素子Ｔｏへの問合せ信号（問いかけ信号）の送信と、第２アンテナＬＣ２を介した情報取得用無線タグ回路素子Ｔｏへの問いかけ信号の送信とを交互に行うように、所定周期Ｔで上記の切替回路８６による切り替えが行われることとなる。図１２は、その問いかけ信号の送信の時間的挙動の一例を、応答信号の例と共に表すタイムチャートである。
【０１０３】
ステップＳ３５５でリプライ信号が受信された場合には、判定が満たされて次のステップＳ３５６に移る。
【０１０４】
ステップＳ３５６では、前述の読み取り処理モードフラグＦｘ＝１とし、上記ステップＳ３１０に戻り、同様の手順を繰り返す。
【０１０５】
なお、ここでは特に説明しなかったが、情報の読み取りがうまくいかなかった場合に、所定の回数リトライを行うようにしてもよい。
【０１０６】
また、この例では上記ステップＳ３５０での問合せ信号に対応するリプライ信号に、無線タグ情報として、識別情報（タグＩＤ）のみならずその他のデータ本体も含まれている場合を例にとって説明しているが、これに限られない。すなわち応答信号には例えば識別情報（タグＩＤ）のみ等が含まれ、上記データ本体が含まれていない場合には、上記ステップＳ３５５での応答信号により取得したタグＩＤを用いて対象無線タグ回路素子Ｔｏを特定して、再度情報要求信号を送信回路３０６及び第２アンテナＬＣ２を介して送信し、その応答信号に含まれる上記データ本体を取得するようにしてもよい。
【０１０７】
図１３は、上述したステップＳ３００Ｂのタグラベル作成処理の詳細手順を表すフローチャートである。
【０１０８】
まずステップＳ１０５で、印刷データやラベル作成用無線タグ回路素子Ｔｏとの通信データ（書き込みデータ）、前・後ハーフカット位置やフルカット位置の設定等を含むＰＣ１１８からの操作信号を入力し（情報入力手段）、その入力した操作信号に基づき、当該印刷データ、通信データ、ハーフカット位置、フルカット位置の設定等を行なう準備処理を実行する。この準備処理に必要な情報をＰＣ１１８より操作・編集入力して行うことで、利便性を向上することができる。
【０１０９】
次に、ステップＳ１１０において、第１アンテナＬＣ１からラベル作成用無線タグ回路素子Ｔｏへ通信を行う際、ラベル作成用無線タグ回路素子Ｔｏからの応答がない場合に通信再試行（リトライ）を行う回数（アクセス試行回数）をカウントする変数Ｍ、Ｎと、通信が成功したかどうかをあらわすフラグＦを０に初期化設定する。
【０１１０】
その後、ステップＳ１１５に移り、入出力インターフェース１１３を介し搬送用モータ駆動回路１２１に制御信号を出力し、搬送用モータ１１９の駆動力によってテープ送りローラ２７及びリボン巻取りローラ１０６を回転駆動させる。さらに、テープ排出モータ駆動回路１２３を介してテープ排出モータ６５に制御信号を出力し、駆動ローラ５１を回転駆動させる。これらにより、第１ロール１０２から基材テープ１０１が繰り出されテープ送りローラ２７へ供給されるとともに、第２ロール１０４からはカバーフィルム１０３が繰り出され、これら基材テープ１０１とカバーフィルム１０３とが上記テープ送りローラ２７及びサブローラ１０９により接着されて一体化されて印字済みタグラベル用テープ１０９として形成され搬送される。
【０１１１】
その後、ステップＳ１２０において、入出力インターフェース１１３を介し入力されたマーク検出センサ１２７の検出信号に基づき、基材テープ１０１の上記識別子ＰＭが検出されたかどうか（言い換えればカバーフィルム１０３が印字ヘッド２３による印刷開始位置まで到達したかどうか）を判定する。識別子ＰＭが検出されるまで判定が満たされずこの手順を繰り返し、検出されたら判定が満たされて次のステップＳ１２５に移る。
【０１１２】
ステップＳ１２５では、入出力インターフェース１１３を介し印刷駆動回路１２０に制御信号を出力し、印字ヘッド２３を通電して、カバーフィルム１０３のうち前述した印字領域Ｓ（＝基材テープ１０１に所定ピッチで等間隔で配置されたラベル作成用無線タグ回路素子Ｔｏの裏面にほぼ貼り合わせることとなる領域）に、ステップＳ１０５で生成した印刷データに対応した文字、記号、バーコード等のラベル印字Ｒの印刷を開始する。
【０１１３】
その後、ステップＳ１３０において、印字済みタグラベル用テープ１０９が先のステップＳ１０５で設定した前ハーフカット位置まで搬送されたかどうか（言い換えればハーフカット機構３５のハーフカッタ３４がステップＳ１で設定した前ハーフカット線ＨＣ１に正対する位置まで印字済みタグラベル用テープ１０９が到達したかどうか）を判定する。このときの判定は、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。前ハーフカット位置に到達するまで判定が満たされずこの手順を繰り返し、到達したら判定が満たされて次のステップＳ１３５に移る。
【０１１４】
ステップＳ１３５では、入出力インターフェース１１３を介し搬送用モータ駆動回路１２１及びテープ排出モータ駆動回路１２３に制御信号を出力し、搬送用モータ１１９及びテープ排出モータ６５の駆動を停止して、テープ送りローラ２７、リボン巻取りローラ１０６、駆動ローラ５１の回転を停止する。これにより、カートリッジ７から繰り出された印字済みタグラベル用テープ１０９が排出方向に移動する過程で、ステップＳ１０５で設定した前ハーフカット線ＨＣ１にハーフカット機構３５のハーフカッタ３４が正対した状態で、第１ロール１０２からの基材テープ１０１の繰り出し、第２ロール１０４からのカバーフィルム１０３の繰り出し、及び印字済みタグラベル用テープ１０９の搬送が停止する。またこのとき、入出力インターフェース１１３を介し印刷駆動回路１２０にも制御信号を出力し、印字ヘッド２３の通電を停止して、上記ラベル印字Ｒの印刷を停止（印刷中断）する。
【０１１５】
その後、ステップＳ１４０で、入出力インターフェース１１３を介しハーフカッターモータ駆動回路１２８に制御信号を出力してハーフカッターモータ１２９を駆動し、ハーフカッタ３４を回動させて、印字済みタグラベル用テープ１０９のカバーフィルム１０３、粘着層１０１ａ、ベースフィルム１０１ｂ及び粘着層１０１ｃを切断して前ハーフカット線ＨＣ１を形成する前ハーフカット処理を行う。
【０１１６】
そして、ステップＳ１４５に移り、上記ステップＳ１１５と同様にしてテープ送りローラ２７、リボン巻取りローラ１０６、駆動ローラ５１を回転駆動させて印字済みタグラベル用テープ１０９の搬送を再開するとともに、ステップＳ１２５と同様にして印字ヘッド２３に通電してラベル印字Ｒの印刷を再開する。
【０１１７】
その後、ステップＳ２００に移り、タグアクセス処理を行う。すなわち、ラベル作成用無線タグ回路素子Ｔｏの通信位置（ラベル作成用無線タグ回路素子Ｔｏが第１アンテナＬＣ１と正対する位置）まで搬送したら搬送及び印字を停止して情報送受信を行い、その後搬送及び印字を再開して印字を完了させ、さらに搬送して後ハーフカット位置で搬送を停止して後ハーフカット線ＨＣ２の形成を行う（後述の図１４参照）。
【０１１８】
以上のようにしてステップＳ２００が終了したら、ステップＳ１５５に移る（なおこの時点でステップＳ２００において印字済みタグラベル用テープ１０９の搬送が再開されている）。ステップＳ１５５では、印字済みタグラベル用テープ１０９が前述したフルカット位置まで搬送されたかどうか（言い換えれば切断機構１５の可動刃４１がステップＳ１０５で設定したフルカット位置に正対する位置まで印字済みタグラベル用テープ１０９が到達したかどうか）を判定する。このときの判定も、前述と同様、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。フルカット位置に到達するまで判定が満たされずこの手順を繰り返し、到達したら判定が満たされて次のステップＳ１６０に移る。
【０１１９】
ステップＳ１６０では、上記ステップＳ１３５と同様にして、テープ送りローラ２７、リボン巻取りローラ１０６、駆動ローラ５１の回転を停止して印字済みタグラベル用テープ１０９の搬送を停止する。これにより、ステップＳ１０５で設定したフルカット位置に切断機構１５の可動刃４１が正対した状態で、第１ロール１０２からの基材テープ１０１の繰り出し、第２ロール１０４からのカバーフィルム１０３の繰り出し、及び印字済みタグラベル用テープ１０９の搬送が停止する。
【０１２０】
その後、ステップＳ１６５において、カッターモータ駆動回路１２２に制御信号を出力してカッターモータ４３を駆動し、切断機構１５の可動刃４１を回動させて、印字済みタグラベル用テープ１０９のカバーフィルム１０３、粘着層１０１ａ、ベースフィルム１０１ｂ、粘着層１０１ｃ及び剥離紙１０１ｄをすべて切断（分断）して切断線を形成するフルカット処理を行う。この切断機構１５による分断によって印字済みタグラベル用テープ１０９から切り離され、ラベル作成用無線タグ回路素子Ｔｏの無線タグ情報が読み取られかつこれに対応する所定の印字が行われたラベル状の無線タグラベルＴが生成される。
【０１２１】
その後、ステップＳ１７０に移り、入出力インターフェース１１３を介してテープ排出モータ駆動回路１２３に制御信号を出力し、テープ排出モータ６５の駆動を再開して、駆動ローラ５１を回転させる。これにより、駆動ローラ５１による搬送が再開されて上記ステップＳ１６５でラベル状に生成された無線タグラベルＴがラベル排出口１１へ向かって搬送され、ラベル排出口１１から装置外へと排出する。そして、ステップＳ１７５において通信処理モードフラグＦｗを０にセットし、このフローを終了する。
【０１２２】
図１４は、上述したステップＳ２００の詳細手順を表すフローチャートである。
【０１２３】
まずステップＳ２３０において、上記通信処理モードフラグＦｗ＝１かどうかを判定する。（前述の図１１のステップＳ３４０で）Ｆｗ＝１になるまで判定が満たされずこの手順を繰り返し、Ｆｗ＝１になったら判定が満たされて次のステップＳ２３５に移る。
【０１２４】
ステップＳ２３５では、上記ステップＳ１３５と同様にして、テープ送りローラ２７、リボン巻取りローラ１０６、駆動ローラ５１の回転を停止し、ラベル作成用無線タグ回路素子Ｔｏに第１アンテナＬＣ１が略正対した状態で印字済みタグラベル用テープ１０９の搬送が停止する。また、印字ヘッド２３の通電を停止して、上記ラベル印字Ｒの印刷を停止（中断）する。
【０１２５】
ステップＳ４００では、（前述のようにステップＳ３４０でＦｗ＝１とされたときにはステップＳ３２０で第１アンテナＬＣ１がアンテナ共用器２４０と接続されており）第１アンテナＬＣ１とラベル作成用無線タグ回路素子Ｔｏとの間で無線通信により情報の送受信を行い、ラベル作成用無線タグ回路素子ＴｏのＩＣ回路部１５１に対し図１３の上記ステップＳ１０５で作成した情報を書き込む（又はＩＣ回路部１５１に予め記憶されていた情報を読み取る）情報送受信処理を行う（詳細は後述の図１５参照）。
【０１２６】
その後、ステップＳ２４０に移り、図１３のステップＳ１４５と同様にして、テープ送りローラ２７、リボン巻取りローラ１０６、駆動ローラ５１を回転駆動させて印字済みタグラベル用テープ１０９の搬送を再開するとともに、印字ヘッド２３に通電してラベル印字Ｒの印刷を再開する。
【０１２７】
なおこのとき、上記ステップＳ４００における通信試行回数（リトライ回数）が多かった等によりステップＳ２３５以降の印字ヘッド２３の通電停止時間が所定の時間より長くなってしまった場合には、印字ヘッド２３の温度が低下している可能性がある。従ってこれに対応するために、上記ステップＳ２４０における印刷再開時に、印字ヘッド２３への通電（単位時間当たりのエネルギ量）を通常より大きくしてもよい。
【０１２８】
その後、ステップＳ２５０に移り、印字済みタグラベル用テープ１０９が前述した印刷終了位置（図１３中ステップＳ１０５で算出）まで搬送されたかどうかを判定する。このときの判定も、前述と同様、例えば、上記ステップＳ１２０において基材テープ１０１の識別子ＰＭを検出した後の搬送距離を所定の公知の方法で検出すればよい。印刷終了位置に到達するまで判定が満たされずこの手順を繰り返し、到達したら判定が満たされて次のステップＳ２６０に移る。
【０１２９】
ステップＳ２６０では、図１３のステップＳ１３５と同様にして、印字ヘッド２３の通電を停止して、上記ラベル印字Ｒの印刷を停止する。これによって、印字領域Ｓに対するラベル印字Ｒの印刷が完了する。
【０１３０】
その後、ステップＳ５００に移り、所定の後ハーフカット位置まで搬送した後にハーフカッタ３４によって後ハーフカット線ＨＣ２の形成を行う後ハーフカット処理を行う。以上によりこのルーチンを終了する。
【０１３１】
図１５は、上述したステップＳ４００の詳細手順を表すフローチャートである。なおこの例では、前述の情報書き込み及び情報読み取りのうち、情報書込みを例にとって説明する。
【０１３２】
図１５に示すフローのまずステップＳ４０５において、入出力インターフェース１１３を介し前述の送信回路３０６に制御信号を出力し、ラベル作成用無線タグ回路素子Ｔｏのメモリ部１５７に記憶された情報を初期化する「Ｅｒａｓｅ」信号として、所定の変調を行った搬送波を第１アンテナＬＣ１を介して書き込み対象のラベル作成用無線タグ回路素子Ｔｏに送信する。これにより、ラベル作成用無線タグ回路素子Ｔｏの上記メモリ部１５７を初期化する。
【０１３３】
次に、ステップＳ４１０において、入出力インターフェース１１３を介し送信回路３０６に制御信号を出力し、メモリ部１５７の内容を確認する「Ｖｅｒｉｆｙ」信号として、所定の変調を行った搬送波を第１アンテナＬＣ１を介して情報書き込み対象のラベル作成用無線タグ回路素子Ｔｏに送信し、返信を促す。
【０１３４】
その後、ステップＳ４１５において、上記「Ｖｅｒｉｆｙ」信号に対応して書き込み対象のラベル作成用無線タグ回路素子Ｔｏから送信されたリプライ信号を第１アンテナＬＣ１を介して受信し、受信回路３０７及び入出力インターフェース１１３を介し取り込む。
【０１３５】
次に、ステップＳ４２０において、上記受信したリプライ信号に基づき、当該ラベル作成用無線タグ回路素子Ｔｏのメモリ部１５７内の情報を確認し、メモリ部１５７が正常に初期化されたか否かを判定する。
【０１３６】
判定が満たされない場合はステップＳ４２５に移ってＭに１を加え、さらにステップＳ４３０においてＭ＝５かどうかが判定される。Ｍ≦４の場合は判定が満たされずステップＳ４０５に戻り同様の手順を繰り返す。Ｍ＝５の場合はステップＳ４３５に移り、エラー表示信号を入出力インターフェース１１３を介し上記ＰＣ１１８へ出力し、対応する書き込み失敗（エラー）表示を行わせ、さらにステップＳ４３７で前述のフラグＦ＝１にして、このルーチンを終了する。このようにして初期化が不調でも５回までは再試行が行われる。
【０１３７】
ステップＳ４２０の判定が満たされた場合、ステップＳ４４０に移り、送信回路３０６に制御信号を出力し、所望のデータをメモリ部１５７に書き込む「Ｐｒｏｇｒａｍ」信号として、所定の変調を行った搬送波を第１アンテナＬＣ１を介して情報書き込み対象のラベル作成用無線タグ回路素子Ｔｏに送信し、情報を書き込む。
【０１３８】
その後、ステップＳ４４５において、送信回路３０６に制御信号を出力し「Ｖｅｒｉｆｙ」信号として所定の変調を行った搬送波を第１アンテナＬＣ１を介して情報書き込み対象のラベル作成用無線タグ回路素子Ｔｏに送信し、返信を促す。その後ステップＳ４５０において、上記「Ｖｅｒｉｆｙ」信号に対応して書き込み対象のラベル作成用無線タグ回路素子Ｔｏから送信されたリプライ信号を第１アンテナＬＣ１を介して受信し、受信回路３０７を介し取り込む。
【０１３９】
次に、ステップＳ４５５において、上記受信したリプライ信号に基づき、当該ラベル作成用無線タグ回路素子Ｔｏのメモリ部１５７内に記憶された情報を確認し、公知の誤り検出符号（ＣＲＣ符号；Ｃｙｃｌｉｃ  Ｒｅｄｕｎｄａｎｃｙ  Ｃｈｅｃｋ等）を用いて、前述の送信した所定の情報がメモリ部１５７に正常に記憶されたか否かを判定する。
【０１４０】
判定が満たされない場合はステップＳ４６０に移ってＮに１を加え、さらにステップＳ４６５においてＮ＝５かどうかが判定される。Ｎ≦４の場合は判定が満たされずステップＳ４４０に戻り同様の手順を繰り返す。Ｎ＝５の場合は前述したステップＳ４３５に移り、同様にＰＣ１１８に対応する書き込み失敗（エラー）表示を行わせ、ステップＳ４３７で前述のフラグＦ＝１にして、このルーチンを終了する。このようにして情報書き込みが不調でも５回までは再試行が行われる。
【０１４１】
ステップＳ４５５の判定が満たされた場合、ステップＳ４７０に移り、送信回路３０６に制御信号を出力し、「Ｌｏｃｋ」コマンドとして所定の変調を行った搬送波を第１アンテナＬＣ１を介して情報書き込み対象のラベル作成用無線タグ回路素子Ｔｏに送信し、当該ラベル作成用無線タグ回路素子Ｔｏへの新たな情報の書き込みを禁止する。これにより、書き込み対象とするラベル作成用無線タグ回路素子Ｔｏへの無線タグ情報の書き込みが完了する。
【０１４２】
その後、ステップＳ４８０に移り、上記ステップＳ４４０でラベル作成用無線タグ回路素子Ｔｏに書き込まれた情報と、これに対応して既に印字ヘッド２３により印字領域Ｓに印字されるラベル印字Ｒの印字情報との組み合わせが、入出力インターフェース１１３及び通信回線ＮＷを介し出力され、情報サーバＩＳやルートサーバＲＳに記憶される。なお、この記憶データは必要に応じてＰＣ１１８より参照可能に例えば各サーバＩＳ，ＲＳのデータベース内に格納保持される。以上により、このルーチンを終了する。
【０１４３】
なお、本フローにおいて上記「Ｅｒａｓｅ」「Ｖｅｒｉｆｙ」「Ｐｒｏｇｒａｍ」信号等を第１アンテナＬＣ１から出力する際には、上記ステップＳ３００Ａのスキャン処理の場合よりも送信出力を小さくするようにしてもよい。
【０１４４】
また、ここでは、ラベル作成用無線タグ回路素子Ｔｏに対し無線タグ情報を送信しＩＣ回路部１５１に書き込みを行って無線タグラベルＴを作成する場合を説明したが、これに限られない。すなわち、予め所定の無線タグ情報が書き換え不可に記憶保持されている読み取り専用のラベル作成用無線タグ回路素子Ｔｏから無線タグ情報を読み取りながら、これに対応する印字を行って無線タグラベルＴを作成するようにしてもよい。
【０１４５】
以上において、制御回路１１０が実行する図１１のステップＳ３２０及びステップＳ３４５の手順が、各請求項記載の、ラベル作成用アンテナ若しくは情報取得用アンテナを介し、ラベル作成用無線タグ回路素子若しくは情報取得用無線タグ回路素子に対し、選択的に問いかけ信号を送信するように切り替えるアンテナ切替制御手段を構成する。
【０１４６】
また、制御回路１１０が実行する図１０のステップＳ３６０〜ステップＳ３６６が情報取得用無線タグ回路素子の情報取得処理を行うための情報取得処理モードに相当し、図１４のステップＳ２４０〜Ｓ５００がラベル作成用無線タグ回路素子との通信処理モードに相当する。そしてそれら図１０のステップＳ３６０〜ステップＳ３６６と、図１４のステップＳ２４０〜Ｓ５００とが、ラベル作成用アンテナ若しくは情報取得用アンテナを介した、ラベル作成用無線タグ回路素子若しくは情報取得用無線タグ回路素子からの問いかけ信号への応答信号の受信に応じて、上記通信処理モード、若しくは、上記情報取得処理モードに対応した処理を行うモード処理手段を構成する。
【０１４７】
以上説明した本実施形態においては、通信処理モードの実行時には、印字済みタグラベル用テープ１０９に備えられたラベル作成用無線タグ回路素子Ｔｏに対し、第１アンテナＬＣ１を介して情報の書き込みが行われ、更に当該印字済みタグラベル用テープ１０９が切断されることで、印字付の無線タグラベルＴが作成される。一方、情報取得処理モードの実行時には、筐体２００の外部に位置する情報取得用無線タグ回路素子Ｔｏに記憶された情報が第２アンテナＬＣ２を介して読み取られ、取得される。このようにして１つの無線タグ情報通信装置１において２つのアンテナＬＣ１，ＬＣ２を使い分けつつ通信回路部分である送信回路３０６及び受信回路３０７等は共用してラベル作成及び情報読み取り（取得）の両方が行えるので、ラベル作成装置と情報読み取り装置とを別々に用意する場合に比べて、装置構成の簡素化及び利用者のコスト負担の低減を図ることができる。
【０１４８】
そしてこのとき、図１１のステップＳ３２０及びステップＳ３４５で第１アンテナＬＣ１と第２アンテナＬＣ２とを周期的に切り替えて、アンテナＬＣ１，ＬＣ２に対する問い合わせ信号（問いかけ信号）を交互に選択的に送信する（ステップＳ３２５及びステップＳ３５０）ようにし、通信処理モード及び情報取得処理モードの何れを実行するかを、上記問いかけ信号に対する応答信号の受信に応じて決定する（ステップＳ３３０及びステップＳ３５５）。これにより、操作者がラベル作成及び情報読み取りの何れかを選択操作する必要がなく、自動的にモードが切り替えられて決定されるため、操作者の手間や労力を軽減して迅速に処理を行うことができ、また操作者によるモード誤選択が起きることは無いため、利便性を向上することができる。
【０１４９】
また、本実施形態では特に、図１１のステップＳ３３５において、第１アンテナＬＣ１を介して受信されたラベル作成用無線タグ回路素子Ｔｏからの応答信号の信号強度がしきい値以上の場合に、ステップＳ３４０でＦｗ＝１として通信処理モードに対応した処理を行うようにする。これにより、ラベル作成用無線タグ回路素子Ｔｏが第１アンテナＬＣ１に十分近くなったときに、情報の書き込みが行われることになる。これにより、無線通信による情報の送受信の確実性や信頼性を向上することができる。
【０１５０】
また、本実施形態では特に、第１アンテナＬＣ１を介して受信されたラベル作成用無線タグ回路素子Ｔｏからの応答信号の信号強度がしきい値未満の場合（ステップＳ３３５の判定が満たされない場合）には、第１アンテナＬＣ１と第２アンテナＬＣ２とが交互に切り替えられる状態（リプライ信号の受信待機状態）に戻るときに、ステップＳ３４５へ移行することで、第２アンテナＬＣ２を介した情報取得用無線タグ回路素子Ｔｏに対する問いかけ信号の送信から再開する。これにより、第２アンテナＬＣ２を介した情報取得用無線タグ回路素子Ｔｏからのリプライ信号の受信判定の空白期間を少なくすることができる。
【０１５１】
また、本実施形態では特に、第２アンテナＬＣ２を介して情報取得用無線タグ回路素子Ｔｏからのリプライ信号が受信されても、ステップＳ３６０において、情報取得用無線タグ回路素子Ｔｏからのリプライ信号のタグＩＤが既に取得したものと同じである場合には、情報取得処理モードに対応した処理の実行を回避し、リプライ信号の受信待機状態に復帰する。これにより、無駄な処理を省略して、処理の迅速化を図ることができる。
【０１５２】
なお、本発明は、上記実施形態に限られるものではなく、その趣旨及び技術的思想を逸脱しない範囲内で種々の変形が可能である。以下、そのような変形例を順を追って説明する。
【０１５３】
（１）タグラベル用テープの搬送速度を変更する場合
本変形例は、情報取得用無線タグ回路素子Ｔｏからの応答信号が受信されたときに、タグラベル用テープ１０９の搬送速度の低速化処理（減速と停止とを含む）を行う場合の例である。
【０１５４】
図１６は、本変形例における制御回路１１０によって実行される制御手順のうち図１０（ｂ）のステップＳ３００Ａに代えて実行されるスキャン処理手順Ｓ３００Ａ′を表すフローチャートであり、前述の図１１に対応する図である。図１１と同様の手順には同符号を付し、説明を適宜省略する。
【０１５５】
この図１６において、まずステップＳ３０５′では、印字済みタグラベル用テープ１０９に備えられたラベル作成用無線タグ回路素子Ｔｏに情報を書き込むための通信処理モードフラグＦｗ、タグラベル用テープ１０９の搬送速度を変えるための速度変更フラグＦＬを０に初期化設定する。
【０１５６】
ステップＳ３１０〜ステップＳ３５５は前述の図１１と同様であり、ステップＳ３５５において情報取得用無線タグ回路素子Ｔｏからのリプライ信号が第２アンテナＬＣ２を介して受信された場合には、ステップＳ３７５に移り、速度変更フラグＦＬを１にセットする。そして、前述のステップＳ３５６に移る。
【０１５７】
図１７は、本変形例における制御回路１１０によって実行される制御手順のうち図１０のステップＳ３００Ｂに代えて実行されるタグラベル作成処理手順Ｓ３００Ｂ′を表すフローチャートであり、前述の図１３に対応する図である。図１３と同様の手順には同符号を付し、説明を適宜省略する。
【０１５８】
ステップＳ１０５〜ステップＳ１２０は前述の図１３と同様であり、ステップＳ１２０において基材テープ１０１の上記識別子ＰＭが検出されていないと判定された場合には、ステップＳ１２１に移り、速度変更フラグＦＬ＝１であるかどうかが判定される。ＦＬ＝１でない場合は判定が満たされず次のステップＳ１２３でテープ送りローラ２７、リボン巻取りローラ１０６、駆動ローラ５１の回転速度を通常通りに動かし、印字済みタグラベル用テープ１０９の搬送を通常の速度で行う（これ以前に減速又は停止していたらそれを解除し、通常の速度に復帰させる）。ＦＬ＝１になったら判定が満たされて次のステップＳ１２２に移り、テープ送りローラ２７、リボン巻取りローラ１０６、駆動ローラ５１の回転速度を低下させるように制御し、印字済みタグラベル用テープ１０９の搬送を減速させる（又は停止させるようにしてもよい；低速化処理手段）。そして、ステップＳ１２０に戻り同様の手順を実行する。
【０１５９】
ステップＳ１２５〜ステップＳ１３０は前述の図１３と同様であり、ハーフカット機構３５のハーフカッタ３４が前述の前ハーフカット線ＨＣ１に正対する位置まで印字済みタグラベル用テープ１０９が到達していないと判定された場合には、ステップＳ１３１に移り、速度変更フラグＦＬ＝１であるかどうかが判定される。ＦＬ＝１でない場合は判定が満たされず次のステップＳ１３３で上記同様テープ送りローラ２７、リボン巻取りローラ１０６、駆動ローラ５１の回転速度を通常通りに動かし、印字済みタグラベル用テープ１０９の搬送を通常の速度で行う（これ以前に減速又は停止していたらそれを解除し、通常の速度に復帰させる）。ＦＬ＝１になったら判定が満たされて次のステップＳ１３２に移る。ステップＳ１３２では、ステップＳ１２２と同様、テープ送りローラ２７、リボン巻取りローラ１０６、駆動ローラ５１の回転速度を低下させるように制御し、印字済みタグラベル用テープ１０９の搬送を減速させる（又は停止させるようにしてもよい；低速化処理手段）。そして、ステップＳ１３０に戻り同様の手順を実行する。
【０１６０】
ステップＳ１３５〜ステップＳ１４５は前述の図１３と同様である。
【０１６１】
その後、ステップＳ２００′においてタグアクセス処理を行い（後述の図１８参照）、更に前述の図１３と同様のステップＳ１５５〜ステップＳ１７５を実行する。
【０１６２】
図１８は、上述したステップＳ２００′の詳細手順を表すフローチャートであり、前述の図１４に対応する図である。
【０１６３】
この図１８において、ステップＳ２３０は前述の図１４と同様である。ステップＳ２３０の後はステップＳ２３５′に移り、上記図１７のステップＳ１２２やステップＳ１３２と同様、テープ送りローラ２７、リボン巻取りローラ１０６、駆動ローラ５１の回転速度を低下させるように制御し、印字済みタグラベル用テープ１０９の搬送を減速させる（又は停止させるようにしてもよい）。
【０１６４】
その後、図１４と同様のステップＳ４００の情報送受信処理が実施された後、ステップＳ２４０′に移る。ステップＳ２４０′では、上記図１７のステップＳ１２３やステップＳ１３３と同様、上記ステップＳ１２２、又はステップＳ１３２、もしくはステップＳ２３５′でいったん減速（又は停止）状態とされたテープ送りローラ２７、リボン巻取りローラ１０６、駆動ローラ５１の回転速度を通常通りに動かし、印字済みタグラベル用テープ１０９の搬送を通常の速度に復帰させる（減速又は停止を解除する；高速化処理手段）。なおもとの速度よりもさらに速くしてもよい。
【０１６５】
その後、ステップＳ２５０ステップＳ５００の手順は、前述の図１４と同様である。
【０１６６】
以上説明した本変形例においては、上記実施形態と同様の効果に加え、情報通信用無線タグ回路素子Ｔｏからのリプライ信号が情報通信用アンテナＬＣ２を介して受信された場合、ステップＳ１２１、ステップＳ１３１の判定が満たされてステップＳ１２２、ステップＳ１３２で印字済みタグラベル用テープ１０９の搬送速度をそれぞれ落とす（又は０にする。以下同様）。これにより、ラベル作成用無線タグ回路素子Ｔｏが第１アンテナＬＣ１の近傍の通信範囲に進入するのを遅らせ、当該通信範囲から必要以上に早く通過してしまうことが防止される。これによっても、情報通信の確実性や信頼性を向上することができる。
【０１６７】
また、印字済みタグラベル用テープ１０９の搬送の減速の必要性が無くなったときには、ステップＳ２４０′において印字済みタグラベル用テープ１０９の搬送速度を増速化する（再び元の速度に戻す等）ので、迅速な処理を行うことができる。
【０１６８】
（２）その他
以上においては、装置本体２の側面側に第２アンテナＬＣ２を設け、当該装置本体２の側面側において装置本体２（筐体２００）の外部に位置する情報取得用無線タグ回路素子Ｔｏから情報の読み取りを行うようにしたが、これに限られない。すなわち、装置本体２の前面側又は上面側に第２アンテナＬＣ２を設け、当該装置本体２の前面側又は上面側において装置本体２（筐体２００）の外部に位置する情報取得用無線タグ回路素子Ｔｏから情報の読み取りを行うようにしてもよい。
【０１６９】
また、以上は、ラベル作成用無線タグ回路素子Ｔｏに対し無線タグ情報を送信しＩＣ回路部１５１に書き込みを行って無線タグラベルＴを作成する場合を説明したが、これに限られない。すなわち、既に触れたように、予め所定の無線タグ情報が書き換え不可に記憶保持されている読み取り専用のラベル作成用無線タグ回路素子Ｔｏから無線タグ情報を読み取りながら、これに対応する印字を行って無線タグラベルＴを作成する場合にも本発明は適用でき、この場合も上記同様の効果を得ることができる。
【０１７０】
また、以上においては、無線タグ回路素子Ｔｏを備えたタグ媒体としての基材テープ１０１とは別のカバーフィルム１０３に印字を行ってこれらを貼り合わせる方式であったが、これに限られず、タグテープとして、被印字層（例えば熱により発色し印字形成可能な感熱材料からなる感熱層、又はインクリボンからの熱転写により印字形成可能な被転写材料により構成された被転写層、もしくはインクを塗布することで印字形成可能な受像材料により構成された受像層等）を備えたタグテープ（タグ媒体）を用いて当該被印字層に印字を行う方式（貼りあわせを行わないタイプ）に本発明を適用してもよい。この場合、ハーフカットユニット３５において受け台３８とハーフカッタ３４の構成は本実施形態とは異なったものとなる。すなわち図４のハーフカッタ３４側に受け台が配置され、受け台３８側にハーフカッタが配置される。
【０１７１】
また、以上において、印字及びラベル作成用無線タグ回路素子Ｔｏへのアクセス（読み取り又は書き込み）の終了した印字済みタグラベル用テープ１０９を切断機構１５で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、切断機構１５で切断しなくても、テープがラベル排出口１１から排出されてきた後にラベル台紙（アクセス済みのラベル作成用無線タグ回路素子Ｔｏが備えられかつ対応する印字がなされたもの）のみをテープから剥がして無線タグラベルＴを作成しても良く、本発明はこのようなものに対しても適用できる。
【０１７２】
さらに、以上は、印字済みタグラベル用テープ１０９を用いて、印字付の無線タグラベルＴを作成した場合を例にとって説明したが、これに限られず、本発明は、印字の無い無線タグラベルＴを作成するものに対しても適用できる。
【０１７３】
なお、以上で用いた「Ｓｃｒｏｌｌ  ＩＤ」信号、「Ｅｒａｓｅ」信号、「Ｖｅｒｉｆｙ」信号、「Ｐｒｏｇｒａｍ」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１７４】
また、以上既に述べた以外にも、上記実施形態や各変形例による手法を適宜組み合わせて利用しても良い。
【０１７５】
その他、一々例示はしないが、本発明は、その趣旨を逸脱しない範囲内において、種々の変更が加えられて実施されるものである
【図面の簡単な説明】
【０１７６】
【図１】本発明の一実施形態である無線タグ情報通信装置を備えた無線タグ生成システムを表すシステム構成図である。
【図２】無線タグ情報通信装置の全体構造を表す斜視図である。
【図３】無線タグ情報通信装置の内部の内部ユニットの構造を表す斜視図である。
【図４】無線タグ情報通信装置の内部の内部ユニットの構造を表す平面図である。
【図５】カートリッジの詳細構造を模式的に表す拡大平面図である。
【図６】本発明の一実施形態である無線タグ情報通信装置の制御系を表す機能ブロック図である。
【図７】無線タグ回路素子の機能的構成を表す機能ブロック図である。
【図８】無線タグ情報通信装置によりラベル作成用無線タグ回路素子の情報書き込み（又は読み取り）及び印字済みタグラベル用テープの切断が完了し形成された無線タグラベルの外観の一例を表す上面図及び下面図である。
【図９】図８中ＩＸＡ−ＩＸＡ′断面による横断面図を反時計方向に９０°回転させた図及び図８中ＩＸＢ−ＩＸＢ′断面による横断面図を反時計方向に９０°回転させた図である。
【図１０】制御回路によって実行される制御手順を表すフローチャートである。
【図１１】図１０に示したスキャン処理の詳細手順を表すフローチャートである。
【図１２】問いかけ信号の送信の時間的挙動の一例を、応答信号の例と共に表すタイムチャートである。
【図１３】図１０に示したタグラベル作成処理の詳細手順を表すフローチャートである。
【図１４】図１３に示したステップＳ２００の詳細手順を表すフローチャートである。
【図１５】図１４に示したステップＳ４００の詳細手順を表すフローチャートである。
【図１６】変形例における制御回路によって実行される制御手順のうちステップＳ３００Ａ′の詳細手順を表すフローチャートである。
【図１７】変形例における制御回路によって実行される制御手順のうちステップＳ３００Ｂ′の詳細手順を表すフローチャートである。
【図１８】図１７に示したステップＳ２００′の詳細手順を表すフローチャートである。
【符号の説明】
【０１７７】
１              無線タグ情報通信装置
２              装置本体
２３            印字ヘッド（印字手段）
５１            駆動ローラ
８６            切替回路
１０１          基材テープ（タグ媒体）
１０３          カバーフィルム（被印字媒体）
１０９          タグラベル用テープ
１１０          制御回路
１１８          ＰＣ（操作端末）
１５１          ＩＣ回路部
１５２          ループアンテナ（タグ側アンテナ）
２００          筐体
３０７Ａ        ＲＳＳＩ回路
ＬＣ１          第１アンテナ（ラベル作成用アンテナ）
ＬＣ２          第２アンテナ（情報取得用アンテナ）
Ｔｏ              無線タグ回路素子（ラベル作成用無線タグ回路素子、情報取得用無線タグ回路素子）
【図１】
2008146386.tif 000003
【図２】
2008146386.tif 000004
【図３】
2008146386.tif 000005
【図４】
2008146386.tif 000006
【図５】
2008146386.tif 000007
【図６】
2008146386.tif 000008
【図７】
2008146386.tif 000009
【図８】
2008146386.tif 000010
【図９】
2008146386.tif 000011
【図１０】
2008146386.tif 000012
【図１１】
2008146386.tif 000013
【図１２】
2008146386.tif 000014
【図１３】
2008146386.tif 000015
【図１４】
2008146386.tif 000016
【図１５】
2008146386.tif 000017
【図１６】
2008146386.tif 000018
【図１７】
2008146386.tif 000019
【図１８】
2008146386.tif 000020